(57)【要約】【課題】摺動ブラシが植立される固定体と、側端部に突起部を有する移動踏板との干渉を生じることなく、移動踏板を清掃することができる移動踏板の清掃装置の提供。【解決手段】乗降床２と、くし板４の根元部４ａとに挟まれる形で固定される固定板１２と、この固定板１２に固定される固定体１３と、この固定体１３に植立され、移動踏板３のクリート溝９に当接する摺動ブラシ１４とを有すると共に、移動踏板３の突起部８ａと対向する固定体１３の部分に、突起部８ａの通過を許容させる溝部１３ａを形成した構成にしてある。【選択図】図４
2005187133.tif 000002
【特許請求の範囲】
【請求項１】
無端状に連結され、その踏面に多数のクリート溝を有し、かつ、側端部の踏面が突起部を形成する移動踏板と、
乗降床の先端に固定される根元部と、前記移動踏板の全クリート溝に噛み合う多数の歯先部を有するくし板とを備えた乗客コンベアに配備され、
前記乗降床と前記くし板の前記根元部とに挟まれる形で固定される固定板と、この固定板に固定される固定体と、この固定体に植立され、前記移動踏板の前記クリート溝に当接される摺動ブラシとを備えた移動踏板の清掃装置において、
前記移動踏板の前記突起部と対向する前記固定体部分に、前記突起部の通過を許容させる溝部を形成したことを特徴とする移動踏板の清掃装置。
【発明の詳細な説明】
【技術分野】
【０００１】
本発明は、動く歩道やエスカレータ等の乗客コンベアに備えられ、移動踏板のクリート溝を自動的に清掃する移動踏板の清掃装置に関する。
【背景技術】
【０００２】
乗客コンベアは、無端状に連結され、その踏面に多数のクリート溝を有する移動踏板と、この移動踏板のクリート溝に噛み合う多数の歯先部を有するくし板とを有している。このような乗客コンベアに備えられ、移動踏板のクリート溝を自動的に清掃する清掃装置として、従来、乗降床と、くし板の根元部とに挟まれる形で固定される固定板と、この固定板に固定される固定体と、この固定体に植立され、移動踏板のクリート溝に当接される摺動ブラシとを備えたものが提案されている（例えば、特許文献１参照。）。
【特許文献１】特開２０００−１２８４７３公報（段落番号０００４，０００５、図２）
【発明の開示】
【発明が解決しようとする課題】
【０００３】
乗客コンベアにおいては、移動踏板の踏面の側端部と、この移動踏板の側端部に立設される構造物との隙間に、誤って乗客の足等が挟まれないように注意を喚起するために、移動踏板の側端部を他の踏面部分とは異なる目立つ色に着色したり、あるいは移動踏板の側端部を上方に突出する突起部に形成することが行なわれている。
【０００４】
このうちの移動踏板の側端部を突起部に形成した乗客コンベアにあっては、上述した従来技術の採用が困難であった。すなわち、このように移動踏板の側端部に突起部を有する乗客コンベアに上述した従来技術を設置した状態で移動踏板を動かした場合、摺動ブラシが植立される固定体が、上述した突起部と干渉し、移動踏板が破損する等の事故を生じる懸念がある。
【０００５】
本発明は、上述した従来技術における実状からなされたもので、その目的は、摺動ブラシが植立される固定体と、側端部に突起部を有する移動踏板との干渉を生じることなく、移動踏板を清掃することができる移動踏板の清掃装置を提供することにある。
【課題を解決するための手段】
【０００６】
上記目的を達成するために、本発明は、無端状に連結され、その踏面に多数のクリート溝を有し、かつ、側端部の踏面が突起部を形成する移動踏板と、乗降床の先端に固定される根元部と、前記移動踏板の全クリート溝に噛み合う多数の歯先部を有するくし板とを備えた乗客コンベアに配備され、前記乗降床と前記くし板の前記根元部とに挟まれる形で固定される固定板と、この固定板に固定される固定体と、この固定体に植立され、前記移動踏板の前記クリート溝に当接される摺動ブラシとを備えた移動踏板の清掃装置において、前記移動踏板の前記突起部と対向する前記固定体部分に、前記突起部の通過を許容させる溝部を形成したことを特徴としている。
【０００７】
このように構成した本発明は、清掃に際して移動踏板を移動させたときに、移動踏板の側端部に位置する突起部が固定体に形成した溝部を通過するので、固定体と側端部に突起部を有する移動踏板との干渉を生じることなく、移動踏板を清掃することができる。したがって、この清掃中における移動踏板の破損等の事故を防止することができる。
【発明の効果】
【０００８】
本発明は、固定体部分に突起部が通過する溝部を形成したことにより、摺動ブラシが植立される固定体と側端部に突起部を有する移動踏板との干渉を生じることなく移動踏板を清掃することができ、清掃中の移動踏板の破損等の事故を防止できる。これにより、清掃可能な移動踏板の種類を増やすことができると共に、清掃時の安全性を確保できる。
【発明を実施するための最良の形態】
【０００９】
以下，本発明に係る移動踏板の清掃装置を実施するための最良の形態を図に基づいて説明する。
【００１０】
図１は本発明に係る移動踏板の清掃装置の一実施形態が設置される乗降口付近を示す斜視図、図２は図１のＡ部拡大平面図、図３は図２のＸ−Ｘ断面拡大図、図４はＹ−Ｙ断面拡大図である。
【００１１】
図１に示すように、本実施形態が設置される乗客コンベア１は、乗降口付近に乗降床２を備え、この乗降床２に臨むように無端状に連結される移動踏板３が配置される。乗降床２の先端部には、くし板４が固定され、移動踏板３の側端部には欄干支柱５が立設される。欄干支柱５によって欄干６が支持され、この欄干６の外縁に沿って、移動踏板３と同期して移動する手すり７が配置される。
【００１２】
図２に示すように、乗降床２に固定されるくし板４は、ビス１０によって乗降床２に固定される根元部４ａと、移動踏板３の踏面８間に形成される多数のクリート溝９と噛み合う歯先部４ｂとを備えている。これにより、くし板４と移動踏板３との隙間が小さくなり、移動踏板３が同図２の矢印Ｂ方向に移動した際に、乗客の手や足が巻き込まれることが防止される。また、異物が乗客コンベア１の内部に侵入することが防止される。
【００１３】
図３に示すように、本実施形態の清掃装置１１は、基本構成として乗降床２と、くし板４とによって挟まれる形で固定される固定板１２と、この固定板１２の先端に固定される固定体１３と、この固定体１３に植立され、移動踏板３のクリート溝９に当接する摺動ブラシ１４と、図示省略した上述のビス１０が貫通する穴とを備えている。このような基本構成により、移動踏板３を移動させた際に摺動ブラシ１４が移動踏板３のクリート溝９上を相対的に摺動し、クリート溝９上に堆積するゴミや塵埃を除去する。これによってクリート溝９は清浄に保たれる。
【００１４】
ここで図４に示すように、移動踏板３は、踏面８のうちの側端部に位置する踏面が、他の部分の踏面８よりも上方に突出し、突起部８ａを形成している。この突起部８ａにより、移動踏板３と図１に示す欄干支柱５との隙間に足等が挟まれないように、乗客に対して注意喚起がなされる。なお、移動踏板３の踏面８、クリート溝９の大部分は、黒やグレーなど、汚れが目立たない色で着色されるが、矢印Ｃで示す移動踏板３の端部付近だけは、黄や橙などの目立つ色で着色される。このように目立つ色で着色されることにより、前述した突起部８ａと同様に、乗客に対して注意喚起がなされる。
【００１５】
上述のように移動踏板３の側端部に突起部８ａを形成したことに伴って、同図４に示すように、乗降床２の端部の下面には、突起部８ａとの干渉を避ける溝２ａが形成されている。
【００１６】
本実施形態の清掃装置１１は、特に、移動踏板３の突起部８ａと対向する固定体１３の部分に、突起部８ａの通過を許容させる溝部１３ａを形成してある。なお、図３に示す固定体１３と突起部８ａとの隙間寸法Ｄは、乗降床２の据付誤差や移動踏板３のガタ等を考慮した所定寸法に設定してある。
【００１７】
このように構成した本実施形態は、上述したように移動踏板３の移動に伴って、摺動ブラシ１４により突起部８ａ付近のクリート溝９を含めて、移動踏板３のクリート溝９の全てを清掃でき、この移動踏板３の美観を保つことができる。
【００１８】
また特に、固定体１３の部分に突起部８ａが通過する溝部１３ａを形成したことにより、摺動ブラシ１４が植立される固定体１３と、側端部に突起部８ａを有する移動踏板３との干渉を生じることなく移動踏板３を清掃することができ、清掃中の移動踏板３の破損等の事故を防止することができる。これにより、清掃可能な移動踏板３の種類を増やすことができると共に、清掃時の安全性を確保できる。
【図面の簡単な説明】
【００１９】
【図１】本発明に係る移動踏板の清掃装置の一実施形態が設置される乗降口付近を示す斜視図である。
【図２】図１のＡ部拡大平面図である。
【図３】図２のＸ−Ｘ断面拡大図である。
【図４】Ｙ−Ｙ断面拡大図である。
【符号の説明】
【００２０】
１    乗客コンベア
２    乗降床
３    移動踏板
４    くし板
４ａ  根元部
４ｂ  歯先部
８    踏面
８ａ  突起部
９    クリート溝
１１    清掃装置
１２    固定板
１３    固定体
１３ａ  溝部
１４    摺動ブラシ
【図１】
2005187133.tif 000003
【図２】
2005187133.tif 000004
【図３】
2005187133.tif 000005
【図４】
2005187133.tif 000006